(57)【要約】      （修正有）【課題】相手先の電話番号を簡易に記憶させるようにして、操作性の高い携帯電話機を提供する。【解決手段】携帯電話機１ａが発呼されると、制御部１３が基地局２から発呼した電話機の電話番号の情報を受信してメモリに格納して通話を開始し、通話中に特定の操作部１１のアドレスキーが押下されると、名前の入力を促して、数字キーによって名前を入力させ、概名前と電話番号の情報とを対応づけて電話番号情報としてメモリ１２に格納する携帯電話機。【選択図】図１
2006320012.tif 000002
【特許請求の範囲】
【請求項１】
着呼を検出すると、着呼した相手の電話機の電話番号を受信して記憶し、
前記着呼した相手との通話中に、着呼して記憶した相手の電話番号を表示させる操作が為されると、前記記憶されている電話番号を表示画面に表示し、
前記表示されている電話番号に対応する名前を入力する画面を表示するための操作が為されると、前記電話番号に対応する名前を入力する画面を表示し、
前記名前を入力する画面で、名前の入力が為されると、前記入力された名前と前記電話番号とを表示画面に表示し、
当該表示された内容を電話帳データとして記憶するための操作が為されると、前記電話番号と名前を電話帳データとして記憶し、
前記着呼した相手との通話中に、着呼して記憶した相手の電話番号を表示させる操作が為されて前記記憶されている電話番号を表示画面に表示した状態で、前記表示されている電話番号を電話帳データとして記憶することを取止める操作が為されると、着呼して記憶した相手の電話番号を表示させる操作が為される前の、着呼して記憶した相手の電話番号を表示させる操作をすることのできる状態に移行することを特徴とする携帯電話機。
【請求項２】
着呼した相手の電話機の電話番号と名前とを対応付けて、通話中に電話帳データとして記憶する携帯電話機の電話帳登録方法であって、
着呼した相手の電話機の電話番号を記憶するステップと、
通話中に前記着呼して記憶した相手の電話機の電話番号を表示させる操作が為されると前記着呼して記憶した相手の電話機の電話番号を表示画面に表示するステップと、
前記表示されている電話番号を名前とともに前記電話帳データとして記憶するのに先立ち、名前を入力する表示画面を表示するための操作が為された場合に、前記電話番号に対応する名前を入力する表示画面を表示するステップと、
当該名前を入力する表示画面で名前が入力されると、前記入力された名前と電話番号とを表示画面に表示するステップと、
前記表示された内容を電話帳データとして記憶するための操作が為されると、前記電話番号と名前を電話帳データとして記憶するステップと、
通話中に前記着呼して記憶した相手の電話番号を表示させる操作が為されて前記記憶されている電話番号を表示画面に表示した状態で、前記表示されている電話番号を電話帳データとして記憶することを取止める操作が為された場合に、前記着呼して記憶した相手の電話番号を表示させる操作が為される前の、着呼して記憶した電話番号を表示させる操作をすることのできる状態に移行するステップと、
を備えたことを特徴とする携帯電話機の電話帳登録方法。
【発明の詳細な説明】
【技術分野】
【０００１】
本発明は、電話帳機能を備える携帯電話機に係り、特に操作性の高い携帯電話機に関する。
【背景技術】
【０００２】
近年の携帯電話機には、利用者の利便性を考慮して電話帳機能が付属しているのが普通である。この電話帳機能では、利用者が予め口頭や書面で相手先の電話番号を調べておき、それをキー入力するようになっていたのが一般的であった。
【発明の開示】
【発明が解決しようとする課題】
【０００３】
しかしながら、上記従来の携帯電話機では、電話帳機能は備えているものの、電話帳に電話番号を入力するには、口頭や書面で相手先の電話番号を調べておく必要があり、また、キー入力時にミスがあると、発呼が困難となり、操作性が悪いという問題点があった。
【０００４】
本発明は上記実情に鑑みて為されたもので、相手先の電話番号を簡易に記憶させるようにして、操作性の高い携帯電話機を提供することを目的とする。
【課題を解決するための手段】
【０００５】
上記従来例の問題点を解決するための発明は、携帯電話機において、着呼してオフフックすると、発呼した相手の電話機の電話番号の情報を受信して記憶し、通話中の特定キーの押下により前記電話番号の情報を表示し、入力された名前と前記電話番号の情報とを対応付けて電話帳データとして記憶することを特徴としており、一度着呼した相手の電話機の電話番号を再入力することなしに名前に対応付けて記憶させることができ、操作性を高めることができる。
【０００６】
上記従来例の問題点を解決するための発明は、携帯電話機において、数字キーとアドレスキーとを具備する操作部と、電話帳データを格納するメモリと、電話番号を表示する表示部と、着呼してオフフックすると、発呼した相手の電話機の電話番号の情報を受信して、前記メモリに格納して、通話を開始し、通話中に前記操作部のアドレスキーが押下されると、前記電話番号の情報を前記表示部に表示し、更に前記アドレスキーが押下されるか否かを監視し、前記アドレスキーが押下されると、名前の入力を促して、前記数字キーを用いて入力される数字の列を文字列に変換し、前記電話番号の情報と入力された名前とを対応付けて前記メモリに電話帳データとして格納する制御部とを有することを特徴としており、一度発呼を受けた電話機の電話番号を再入力せずに名前に対応付けて記憶させることができ、操作性を高めることができる。
【０００７】
上記従来例の問題点を解決するための発明は、請求項２記載の携帯電話機において、制御部が、通話していないときに、操作部のアドレスキーが押下されると、名前の入力を促し、前記操作部の数字キーを用いて入力される数字の列を文字列に変換し、入力された名前をメモリに格納された電話帳データから検索し、検索された名前に対応付けられた電話番号の情報を表示部に表示し、オフフックすべき指示の入力を受けると、該電話番号を発呼する制御部であることを特徴としており、一度発呼を受け、記憶させた電話機の電話番号を再入力せずに名前の入力により発呼することができ、操作性を高めることができる。
【発明の効果】
【０００８】
発明によれば、着呼してオフフックすると、発呼した相手の電話機の電話番号の情報を受信して、通話中の特定キーの押下によって入力される名前とともに、当該電話番号の情報を記憶する携帯電話機としているので、一度着呼した相手の電話機の電話番号を再入力することなしに名前に対応付けて記憶させることができ、操作性を高めることができる効果がある。
【０００９】
発明によれば、操作部と、メモリと、制御部と、表示部とを備え、着呼してオフフックすると、制御部が発呼した相手の電話機の電話番号の情報を受信してメモリに格納して通話を開始し、それとともに操作部に備えられたアドレスキーが押下されるか否かを調べ、押下されれば、数字キーを用いて先にメモリに格納した電話番号の情報と対応付けて格納すべき名前の入力を促し、数字の入力を受けて、これを文字列に変換し、電話番号の情報と対応付けて電話帳データとしてメモリに格納する携帯電話機としているので、一度発呼を受けた電話機の電話番号を再入力せずに名前に対応付けて記憶させることができ、操作性を高めることができる効果がある。
【００１０】
発明によれば、通話していないときにアドレスキーが押下されると、制御部が名前の入力を促し、数字キーによって入力される数字の列を名前の文字列に変換してメモリの電話帳データから検索し、検索された名前に対応付けられている電話番号を表示部に表示し、ここでオフフックする指示の入力を受けると、当該電話番号を発呼する請求項２記載の携帯電話機としているので、一度発呼を受け、記憶させた電話機の電話番号を再入力せずに名前の入力により発呼することができ、操作性を高めることができる効果がある。
【発明を実施するための最良の形態】
【００１１】
本発明の実施の形態を図面を参照しながら説明する。本発明に係る携帯電話機（本機）は、発呼され、オフフックしたときに相手先の電話番号の情報を受信して、利用者からの指示によって、さらに利用者から入力される相手先の名前とその電話番号の情報とを対応づけて電話帳データとして記憶するものであり、一度発呼されると、相手先の電話機の電話番号を簡易な操作で記憶させることができ、操作性を向上できるものである。
【００１２】
本機を図１〜図５を使って説明する。図１は、携帯電話システムの概略の構成ブロック図であり、図２は、本機の一例の外観図であり、図３は、本機が送出するディジタル信号の構造の一例を表す説明図であり、図４は、本機の動作を表すフローチャート図であり、図５は、本機の表示画面の一例を表す説明図である。
【００１３】
本システムは、図１に示すように、複数の携帯電話機１と、交換機を具備する基地局２と、電話機３とから基本的に構成されている。本来ならば、電話機３は、いわゆる公衆電話回線網に接続された電話機であり、さらに多くの電話機が接続されているのが普通であるが、ここでは簡単のために、１台の電話機が接続されている状態を示している。
【００１４】
また、携帯電話機１は、操作部１１と、メモリ１２と、制御部１３と、送信部（Ｔｘ）１４と、受信部（Ｒｘ）１５と、表示部１６とから構成されており、基地局２は、第１の送信部（Ｔｘ）２１と、第１の受信部（Ｒｘ）２２と、第２の送信部（Ｔｘ）２３と、第２の受信部（Ｒｘ）２４と、制御部２５と、交換機２６とから構成されている。
【００１５】
以下、各部を具体的に説明する。携帯電話機１の操作部１１は、図２に示すような外観のキー配列から構成されているものが考えられる。すなわち、操作部１１は、図２に示すように、例えば、電話番号をダイヤルし、又は特定のキーの組合せで仮名文字等を入力する数字キー３１と、電話をかけるオフフックキー（Ｏｆｆ）３２と、回線を切断するオンフックキー（Ｏｎ）３３と、後述する種々の操作に利用されるアドレスキー（Ａｄｒ）３４と、十字キー３５とから構成されている。ここで、十字キーとは、十字の上下左右の各方向に配置された４つの独立したキーからなるキーの集合体をいう。
【００１６】
メモリ１２は、後述する制御部１３のワークメモリとして動作するものであるとともに、電話番号データと名前データとを対応付けて格納しているものである。制御部１３は、受信部１５によって、通話開始時に基地局２から受信する、相手の電話番号の情報を含むＤＴＭＦ信号又はディジタル信号を解析してメモリ１２に格納するものである。
【００１７】
また、制御部１３は、後に説明するように、操作部１１を介して利用者からの指示の入力を受けて、メモリ１２の内容を操作するものである。さらに制御部１３は、発呼の際に自局の番号（自己に割り当てられた電話番号）をＤＴＭＦ信号又はディジタル信号として送信部１４に出力するものである。送信部（Ｔｘ）１４は、マイクなどから入力される音声信号や、制御部１３から入力されるＤＴＭＦ信号又はディジタル信号を変調して送信するものである。
【００１８】
受信部（Ｒｘ）１５は、受信した信号を復調し、音声信号としてスピーカ（図示せず）を介して出力するとともに、制御部１３にも復調した信号を出力するものである。表示部１６は、例えばＬＣＤ表示器であって、制御部１３から出力される指示に従って、文字、記号などを表示するものである。
【００１９】
基地局２は、基本的には、２台以上の電話機を中継するものであり、例えば、携帯電話機１ａと携帯電話機１ｂとの間を中継するようにしている。第１の送信部２１は、中継する一方の携帯電話機１に制御部２５から入力される信号を送信するものである。例えば、ここでは携帯電話機１ａに信号を送信するものとする。第１の受信部２２は、携帯電話機１ａから信号を受信して制御部２５に出力するものである。
【００２０】
第２の送信部２３は、中継しようとするもう一方の携帯電話機に制御部２５から入力される信号を送信するものである。例えば、ここでは携帯電話機１ｂに信号を送信するものとする。第２の受信部２４は、携帯電話機１ｂから信号を受信して制御部２５に出力するものである。
【００２１】
制御部２５は、第２の受信部２４から入力される信号を第１の送信部２１に出力するとともに、第１の受信部２２から入力される信号を第２の送信部２３に出力するものである。
【００２２】
また、制御部２５は、中継しようとする電話機の一方が、携帯電話機１ではなくて、電話機３である場合（公衆電話回線網に接続された電話機である場合）には、交換機２６から入力される信号を第１の送信部２１に出力するとともに、第１の受信部２２から入力される信号を交換機２６に出力するものである。尚、ここで、基地局２は、携帯電話機１ａと電話機３との間を中継しているものとする。交換機２６は、一般的な交換機であり、ここでは、公衆電話回線網と携帯電話機の基地局とを接続する装置として機能している。
【００２３】
次に、本機の制御部１３の動作について図３〜図５を参照しつつ説明する。尚、以下の説明で自局の番号を送信する信号は、ＤＴＭＦ信号又はディジタル信号であり、例えばディジタル信号であれば、図３に示すように、８ビットのヘッダ情報と、８ビットの識別コードと、１０〜１６ビットの呼出番号と、８ビットの誤り訂正ビットと、８ビットのフッタとから構成される４２〜４８ビットのパケットであるとする。
【００２４】
まず、携帯電話機１が着呼した際の制御部１３の動作について説明する。制御部１３は、図４に示すように、着呼したことを検知すると、サウンダ又はバイブレータによって、利用者に着呼を報知する（Ｓ１）。そして制御部１３は、利用者が操作部１１のオフフックボタン３２を押下すると、送信部１４を介して基地局２にオフフックしたことを表す信号を送信する（Ｓ２）。
【００２５】
そして、制御部１３は、基地局２から、発呼した相手の電話番号を表すＤＴＭＦ信号又はディジタル信号を受信して（Ｓ３）、これを解析し、相手の電話番号をメモリ１２に格納する（Ｓ４）とともに、通話を開始する。制御部１３は、通話中に利用者がアドレスキー３４を押下するか否かを監視し（Ｓ５）、押下しなければ（Ｎｏならば）、オンフックキー３３が押下されたか否かによって、通話が終了したか否かを調べる（Ｓ６）。
【００２６】
もし、通話が終了すれば（Ｙｅｓならば）、回線を切断して処理終了する。また、処理Ｓ６において、通話が終了していなければ（Ｎｏならば）、処理Ｓ５に戻って通話を続ける。
【００２７】
また、制御部１３は、処理Ｓ５において、通話中に利用者がアドレスキー３４を押下すれば（Ｙｅｓならば）、表示部１６に処理Ｓ３でメモリ１２に格納した電話番号を表示する（Ｓ７）。
【００２８】
そして、制御部１３は、利用者がさらにアドレスキー３４を押下するか否かを監視し（Ｓ８）、押下されなければ（Ｎｏであれば）、通話が終了したか否かを調べる（Ｓ９）。ここでもし通話が終了すれば（Ｙｅｓならば）、回線を切断して処理終了する。また、処理Ｓ９において、通話が終了していないならば（Ｎｏならば）、処理Ｓ８に戻って通話を続ける。
【００２９】
尚、図示していないが、処理Ｓ８において、一定の時間アドレスキー３４が押下されないならば、処理Ｓ６に移行することも考えられる。このようにすれば、利用者が誤ってアドレスキー３４を押下してしまったときにも、一定の時間が経過すれば、元の状態に戻るため、利便性を高めることができる。
【００３０】
また、処理Ｓ８において、アドレスキー３４が押下されたならば（Ｙｅｓならば）、図５（ａ）に示すように、「記憶しますか」という文字とともに、「ＹＥＳ」と「ＮＯ」との選択肢を表示する（Ｓ１１）。そして、制御部１３は、十字キー３５を監視して、それが押下されるまで処理を停止する（Ｓ１２）。
【００３１】
ここで、例えば、十字キー３５の右側のキーが押下されると、制御部１３は、利用者が「ＮＯ」を選択したものと判断して、処理Ｓ６に移行する。また、例えば、十字キー３５の左側のキーが押下されると、制御部１３は、利用者が「ＹＥＳ」を選択したものと判断して、図５（ｂ）に示すように「電話番号ＸＸＸＸ−ＸＸＸＸの方の名前を入力して下さい」などという文字を表示部１６に表示する（Ｓ１３）。
【００３２】
そして、制御部１３は、利用者が押下する数字キー３１を監視し、名前（文字）に変換する（Ｓ１４）。数字キー３１を利用して文字を入力する方法は、例えば２つの数字の組合せで１文字を入力する方法が考えられる。このような方法は、ページャ又は携帯電話等で広く用いられているものであるので、説明を省略する。
【００３３】
そして、制御部１３は、入力された名前（例えば「コクサイタロウ」であるとする）を確認するために、図５（ｃ）に示すように「電話番号ＸＸＸＸＸＸＸＸの方はコクサイタロウでよろしいですか」という文字とともに、「ＹＥＳ」と「ＮＯ」との選択肢を表示し（Ｓ１５）、十字キー３５の入力を監視する（Ｓ１６）。
【００３４】
ここでもし、利用者が例えば、十字キー３５の右側のキーを押下すると、制御部１３は、利用者が「ＮＯ」を選択したものと判断して、処理Ｓ１３に戻る。また、処理Ｓ１６において、利用者が例えば十字キー３５の左側のキーを押下すると、制御部１３は、利用者が「ＹＥＳ」を選択したものと判断して、処理Ｓ１３で入力された名前と、処理Ｓ３でメモリ１２に格納した電話番号のデータとを対応付けて電話帳データとしてメモリ１２に格納する（Ｓ１７）。
【００３５】
尚、処理Ｓ１４において、名前とともに、いわゆる短縮番号を入力させることも考えられる。このようにして、処理Ｓ１７において、処理Ｓ１３で入力された名前と、処理Ｓ３でメモリ１２に格納した電話番号と、該短縮番号とを対応付けてメモリ１２に格納すれば、後に短縮番号を用いて該電話番号を発呼できるようにすることができる。
【００３６】
次に、着呼していないときの制御部１３の動作について説明する。着呼していないときには、制御部１３は、オフフックキー３２とアドレスキー３４とを監視し、オフフックキー３２が押下されたならば、従来の携帯電話機と同様に通話を行う。
【００３７】
また、アドレスキー３４が押下されると、制御部１３は、処理Ｓ１４と同様に引き続いて数字キー３１から入力される数字を文字に変換し、該入力された文字列をメモリ１２に格納されている電話帳データを検索して、該文字列（名前）に対応して格納されている電話番号を表示部１６に図５（ｄ）のように表示する。
【００３８】
ここで制御部１３は、オフフックキー３２を監視し、オフフックキー３２が押下されると、検索された電話番号を発呼する。
【００３９】
次に本機の動作について説明する。ここでは、本機が他の携帯電話機から発呼された場合の動作について説明するが、公衆電話回線に接続された電話機から発呼された場合も同様である。以下の説明において、本機を携帯電話機１ａとし、他の携帯電話機を１ｂとする。
【００４０】
携帯電話機１ｂが携帯電話機１ａの呼出番号を操作部１１の操作によってＤＴＭＦ信号として基地局２に送信するとともに、自局の番号をも図３に示すパケットのＤＴＭＦ信号として送信する。そして、該パケットは、基地局２に一時的に格納される。
【００４１】
基地局２は、携帯電話機１ｂから受信した信号を携帯電話機１ａに送信する。携帯電話機１ａは、発呼を受けて利用者の呼出を行う。ここで、利用者が呼出を受けて、操作部１１のオフフックキー３２を押下すると、携帯電話機１ａが基地局２にオフフックしたことを表す信号を送信する。
【００４２】
そして、基地局２が、先に一時的に格納したパケット（携帯電話機１ｂの電話番号を表すＤＴＭＦ信号のパケット）を携帯電話機１ａに送信する。そして、携帯電話機１ａがＤＴＭＦ信号を受信し、制御部１３がこれを復調して、携帯電話機１ｂの電話番号のデータとしてメモリ１２に格納する。
【００４３】
ここで、利用者が通話中に、アドレスキー３４を押下すると、携帯電話機１ａの表示部１６には、メモリ１２に格納された携帯電話機１ｂの電話番号が表示されるようになる。ここで、さらに利用者がアドレスキー３４を押下し、数字キー３１を用いて携帯電話機１ｂの利用者の名前を入力すると、メモリ１２には、該入力した名前と携帯電話機１ｂの電話番号とが対応付けて格納される。そして、利用者は通話を続行する。
【００４４】
そして、着呼していないときに携帯電話機１ａの利用者がアドレスキー３４を押下し、数字キー３１を用いて携帯電話機１ｂの利用者の名前を入力すると、携帯電話機１ａの制御部１３が、メモリ１２から当該名前を検索し、それに対応されて格納されている電話番号を表示部１６に表示する。ここで利用者がオフフックキー３２を押下すると、携帯電話機１ａが携帯電話機１ｂを発呼する。
【００４５】
本機によれば、一旦着呼した相手の電話番号を設定によって格納しているので、電話番号を別途入力する手間を省いて、操作性を高めることができる効果がある。
【図面の簡単な説明】
【００４６】
【図１】携帯電話システムの概略の構成ブロック図である。
【図２】本機の一例の外観図である。
【図３】本機が送出するディジタル信号の構造の一例を表す説明図である。
【図４】本機の動作を表すフローチャート図である。
【図５】本機の表示画面の一例を表す説明図である。
【符号の説明】
【００４７】
１…携帯電話機、２…基地局、３…電話機、１１…操作部、１２…メモリ、１３…制御部、１４…送信部、１５…受信部、１６…表示部、２１…第１の送信部、２２…第１の受信部、２３…第２の送信部、２４…第２の受信部、２５…制御部、２６…交換器、３１…数字キー、３２…オフフックキー、３３…オンフックキー、３４…アドレスキー、３５…十字キー
【図１】
2006320012.tif 000003
【図２】
2006320012.tif 000004
【図３】
2006320012.tif 000005
【図４】
2006320012.tif 000006
【図５】
2006320012.tif 000007